(57)【特許請求の範囲】
【請求項１】
局間で伝送する音声信号を第１のＡＴＭセルのデータ（ＡＡＬ（ＡＴＭ  Ａｄａｐｔａｔｉｏｎ  Ｌａｙｅｒ）タイプ２）で伝送するシステムにおいて、
基地局制御装置と、
ＡＴＭセル組み立て／分解装置、第２のＡＴＭセルのデータ（ＡＡＬタイプ１（ＰＣＭ））に変換する機能を有する音声モニタ装置、及びＴＦＯ（Ｔａｎｄｅｍ  Ｆｒｅｅ  Ｏｐｅｒａｔｉｏｎ）時に前記音声モニタ装置から送出された、前記第１のＡＴＭセルのデータと比較して１セルに対して１ユーザデータを収容すること、及びスタートフィールドがないこと以外は前記第１のＡＴＭセルのデータと同じである第３のＡＴＭセルのデータ（ＡＡＬ２ｐｆ）を折り返す機能を有するＡＴＭセル多重／分離装置を有する移動体交換局と、
前記第３のＡＴＭセルのデータと前記第２のＡＴＭセルのデータとの相互変換、前記ＴＦＯ時の前記第３のＡＴＭセルのデータと前記第２のＡＴＭセルのデータとの相互変換を行う機能を有するボコーダを有する音声信号処理装置と、
前記音声モニタ装置で前記第２のＡＴＭセルのデータに変換されたものを最終的に音として聞くためのＳＴＭ網側の三者通話装置を有し、
さらに、局間で通話するときに張られる第１のパスと、その通話を傍受するためにそれぞれの音声データを音声モニタ装置に引き込むための第２のパス（Ｐｏｉｎｔ−ｔｏ−Ｍｕｌｔｉｐｏｉｎｔパス）と、前記ＴＦＯ時に前記第２のＡＴＭセルのデータから前記第３のＡＴＭセルのデータに変換し、当該第３のＡＴＭセルのデータを一度前記ＡＴＭセル多重／分離装置へ送出し、再び前記音声モニタ装置に送出し、前記第３のＡＴＭセルのデータから前記第２のＡＴＭセルのデータへと変換させるための第３のパス（折り返しパス）と、前記音声モニタ装置及び前記三者通話装置間の第４のパスと、局間の音声データが三者通話装置にて合成され、実際に音声傍受するまでの第５のパスを具備して構成されていることを特徴とする音声信号傍受方式。
【請求項２】
前記第２のＡＴＭセルのデータから前記第３のＡＴＭセルのデータへの変換を施すための前記音声モニタ装置周辺のパス接続を前記交換機の初期設定時に、前記第２のパスを除く他のすべてのパスを呼処理のソフトウエア制御を介在させること無く、初期設定段階で固定的に接続していることを特徴とする請求項１記載の音声信号傍受方式。
【請求項３】
前記ＳＴＭ網側の端子を半固定パスで張り、前記ＳＴＭ網と前記ＡＴＭ網とを固定的なパスで接続し、ソフトウエアによる呼処理をＡＴＭスイッチのパス接続処理のみで行い、ソフトウエアからの制御として、ＡＴＭスイッチを制御するのみで音声傍受を可能とすることを特徴とすることを特徴とする請求項１又は２記載の音声信号傍受方式。
【請求項４】
前記音声モニタ装置では、ＡＴＭ交換機内で前記第１のＡＴＭセルのデータの音声信号を前記第３のＡＴＭセルのデータに変換してからＡＴＭスイッチに送出し、前記第２のパスを張ることによって取り込んだ音声データを音声として再現できる前記第２のＡＴＭセルのデータ（ＰＣＭデータ）へと変換し、当該変換された音声データをＳＴＭ網で音声として再現させることを特徴とする請求項１乃至３のいずれか一つに記載の音声信号傍受方式。
【請求項５】
前記第２のパスを張ることによって取り込んだ前記音声データは、ＴＦＯ時には前記第２のＡＴＭセルのデータ、非ＴＦＯ時には前記第３のＡＴＭセルのデータであることを特徴とする請求項４記載の音声信号傍受方式。
【請求項６】
ＴＦＯ時には、（１）前記基地局制御装置から送出された前記第１のＡＴＭセルのデータの音声データは前記ＡＴＭセル組み立て／分解装置で前記第３のＡＴＭセルのデータに変換され、（２）変換された前記第３のＡＴＭセルのデータは、一度前記ボコーダを介して第４のＡＴＭセルのデータ（ＡＡＬ１（ＴＦＯ））に変換され、（３）前記移動体交換局では、ＡＴＭスイッチにて前記第２のパスを張り、前記第４のＡＴＭセルのデータを前記音声モニタ装置に引き込み、（４）引き込んできた前記第４のＡＴＭセルのデータを前記音声モニタ装置にて、前記第３のＡＴＭセルのデータに変換し、（５）当該変換したデータを一度前記ＡＴＭセル多重／分離装置へと送出し、（６）ＡＴＭセル多重／分離装置内のスイッチにてパスを折り返し、再び前記音声モニタ装置へ前記第３のＡＴＭセルのデータを引き込み、（７）引き込まれた前記第３のＡＴＭセルのデータを前記第２のＡＴＭセルのデータに変換する、ＳＴＭ網にて、専用の受話装置で傍受することを特徴とする請求項５記載の音声信号傍受方式。
【請求項７】
非ＴＦＯ時において、（１）前記基地局制御装置から送出された前記第１のＡＴＭセルのデータは、前記ＡＴＭセル組み立て／分解装置にて前記第３のＡＴＭセルのデータに変換され、（２）マルチメディア信号処理装置を通過せずに、（３）当該変換された前記第３のＡＴＭセルのデータは、ＡＴＭスイッチにて前記第２のパスを張ることにより、一方を通常の移動機−移動機通信を保持するためのものとして、他方を音声モニタ装置へと引き込むためのものとして２方向に分けられ、  （４）前記音声モニタ装置へと引き込まれた前記第３のＡＴＭセルのデータは前記第２のＡＴＭセルのデータ）に変換され、（５）前記音声モニタ装置を通過し前記第２のＡＴＭセルのデータに変換された音声データは、ＡＴＭ／ＳＴＭ変換装置を経由することによりＳＴＭ網へと送出され、（６）当該ＳＴＭ網にて三者通話装置でそれぞれの音声データをミキシングすることにより、それぞれの音声データを会話のデータとして受話装置で傍受することを特徴とする請求項５記載の音声信号傍受方式。
【発明の詳細な説明】
【０００１】
【発明の属する技術分野】
本発明は、ＡＴＭ交換機を用いて移動体交換局を実現し、局間で伝送する音声信号をＡＡＬ（ＡＴＭ  Ａｄａｐｔａｔｉｏｎ  Ｌａｙｅｒ）Ｔｙｐｅ２で伝送するシステムにおける音声通話傍受方式に関する。
【０００２】
【従来の技術】
ＡＴＭ交換機を用いて移動体交換局を実現し、局間で伝送する音声信号をＡＡＬ（ＡＴＭ  Ａｄａｐｔａｔｉｏｎ  Ｌａｙｅｒ）Ｔｙｐｅ２で伝送するシステムにおいて、３ＧＰＰの勧告によりＴＦＯ（Ｔａｎｄｅｍ  Ｆｒｅｅ  Ｏｐｅｒａｔｉｏｎ）という音声ＣＯＤＥＣの手法がリリースされたため、これに対応した音声傍受方式、装置の出現が待ち望まれていた。
【０００３】
【発明が解決しようとする課題】
しかしながら、従来ではＡＴＭスイッチ、ＳＴＭスイッチをソフトウエアが別々に制御していた。このため、ＡＡＬ１（ＴＦＯ）からＡＡＬ１（ＰＣＭ）への変換を行うという、音声モニタ装置特有のＣＯＤＥＣの開発が必要であり、上記した音声傍受方式の実現は困難であった。
【０００４】
本発明の目的は、ＡＴＭスイッチ、ＳＴＭスイッチを個別に制御することなくＡＴＭスイッチを制御するのみで音声傍受を可能とする音声信号傍受方式を提供することである。
【０００５】
【課題を解決するための手段】
本発明によれば、局間で伝送する音声信号を第１のＡＴＭセルのデータ（ＡＡＬ（ＡＴＭ  Ａｄａｐｔａｔｉｏｎ  Ｌａｙｅｒ）タイプ２）で伝送するシステムにおいて、基地局制御装置と、ＡＴＭセル組み立て／分解装置、第２のＡＴＭセルのデータ（ＡＡＬタイプ１（ＰＣＭ））に変換する機能を有する音声モニタ装置、及びＴＦＯ（Ｔａｎｄｅｍ  Ｆｒｅｅ  Ｏｐｅｒａｔｉｏｎ）時に前記音声モニタ装置から送出された、前記第１のＡＴＭセルのデータと比較して１セルに対して１ユーザデータを収容すること、及びスタートフィールドがないこと以外は前記第１のＡＴＭセルのデータと同じである第３のＡＴＭセルのデータ（ＡＡＬ２ｐｆ）を折り返す機能を有するＡＴＭセル多重／分離装置を有する移動体交換局と、前記第３のＡＴＭセルのデータと前記第２のＡＴＭセルのデータとの相互変換、前記ＴＦＯ時の前記第３のＡＴＭセルのデータと前記第２のＡＴＭセルのデータとの相互変換を行う機能を有するボコーダを有する音声信号処理装置と、前記音声モニタ装置で前記第２のＡＴＭセルのデータに変換されたものを最終的に音として聞くためのＳＴＭ網側の三者通話装置を有し、さらに、局間で通話するときに張られる第１のパスと、その通話を傍受するためにそれぞれの音声データを音声モニタ装置に引き込むための第２のパス（Ｐｏｉｎｔ−ｔｏ−Ｍｕｌｔｉｐｏｉｎｔパス）と、前記ＴＦＯ時に前記第２のＡＴＭセルのデータから前記第３のＡＴＭセルのデータに変換し、当該第３のＡＴＭセルのデータを一度前記ＡＴＭセル多重／分離装置へ送出し、再び前記音声モニタ装置に送出し、前記第３のＡＴＭセルのデータから前記第２のＡＴＭセルのデータへと変換させるための第３のパス（折り返しパス）と、前記音声モニタ装置及び前記三者通話装置間の第４のパスと、局間の音声データが三者通話装置にて合成され、実際に音声傍受するまでの第５のパスを具備して構成されていることを特徴とする音声信号傍受方式が得られる。
【０００６】
さらに、本発明によれば、前記第２のＡＴＭセルのデータから前記第３のＡＴＭセルのデータへの変換を施すための前記音声モニタ装置周辺のパス接続を前記交換機の初期設定時に、前記第２のパスを除く他のすべてのパスを呼処理のソフトウエア制御を介在させること無く、初期設定段階で固定的に接続していることを特徴とする音声信号傍受方式が得られる。
【０００７】
さらに、本発明によれば、前記ＳＴＭ網側の端子を半固定パスで張り、前記ＳＴＭ網と前記ＡＴＭ網とを固定的なパスで接続し、ソフトウエアによる呼処理をＡＴＭスイッチのパス接続処理のみで行い、ソフトウエアからの制御として、ＡＴＭスイッチを制御するのみで音声傍受を可能とすることを特徴とすることを特徴とする音声信号傍受方式が得られる。
【０００８】
さらに、本発明によれば、前記音声モニタ装置では、ＡＴＭ交換機内で前記第１のＡＴＭセルのデータの音声信号を前記第３のＡＴＭセルのデータに変換してからＡＴＭスイッチに送出し、前記第２のパスを張ることによって取り込んだ音声データを音声として再現できる前記第２のＡＴＭセルのデータ（ＰＣＭデータ）へと変換し、当該変換された音声データをＳＴＭ網で音声として再現させることを特徴とする音声信号傍受方式が得られる。
【０００９】
さらに、本発明によれば、前記第２のパスを張ることによって取り込んだ前記音声データは、ＴＦＯ時には前記第２のＡＴＭセルのデータ、非ＴＦＯ時には前記第３のＡＴＭセルのデータであることを特徴とする音声信号傍受方式が得られる。
【００１０】
さらに、本発明によれば、ＴＦＯ時には、（１）前記基地局制御装置から送出された前記第１のＡＴＭセルのデータの音声データは前記ＡＴＭセル組み立て／分解装置で前記第３のＡＴＭセルのデータに変換され、（２）変換された前記第３のＡＴＭセルのデータは、一度前記ボコーダを介して第４のＡＴＭセルのデータ（ＡＡＬ１（ＴＦＯ））に変換され、（３）前記移動体交換局では、ＡＴＭスイッチにて前記第２のパスを張り、前記第４のＡＴＭセルのデータを前記音声モニタ装置に引き込み、（４）引き込んできた前記第４のＡＴＭセルのデータを前記音声モニタ装置にて、前記第３のＡＴＭセルのデータに変換し、（５）当該変換したデータを一度前記ＡＴＭセル多重／分離装置へと送出し、（６）ＡＴＭセル多重／分離装置内のスイッチにてパスを折り返し、再び前記音声モニタ装置へ前記第３のＡＴＭセルのデータを引き込み、（７）引き込まれた前記第３のＡＴＭセルのデータを前記第２のＡＴＭセルのデータに変換する、ＳＴＭ網にて、専用の受話装置で傍受することを特徴とする音声信号傍受方式が得られる。
【００１１】
さらに、本発明によれば、非ＴＦＯ時において、（１）前記基地局制御装置から送出された前記第１のＡＴＭセルのデータは、前記ＡＴＭセル組み立て／分解装置にて前記第３のＡＴＭセルのデータに変換され、（２）マルチメディア信号処理装置を通過せずに、（３）当該変換された前記第３のＡＴＭセルのデータは、ＡＴＭスイッチにて前記第２のパスを張ることにより、一方を通常の移動機−移動機通信を保持するためのものとして、他方を音声モニタ装置へと引き込むためのものとして２方向に分けられ、（４）前記音声モニタ装置へと引き込まれた前記第３のＡＴＭセルのデータは前記第２のＡＴＭセルのデータ）に変換され、（５）前記音声モニタ装置を通過し前記第２のＡＴＭセルのデータに変換された音声データは、ＡＴＭ／ＳＴＭ変換装置を経由することによりＳＴＭ網へと送出され、（６）当該ＳＴＭ網にて三者通話装置でそれぞれの音声データをミキシングすることにより、それぞれの音声データを会話のデータとして受話装置で傍受することを特徴とする音声信号傍受方式が得られる。
【００１２】
【発明の実施の形態】
実施の形態の説明に入る前に、以下で使用される種々の用語について述べる。ＡＡＬ２ｐｆとは、本出願人がＷ−ＣＤＭＡシステム開発に伴い、新たに開発した、後述するＡＡＬ２の改良版をいう。後述するＡＡＬ２との相違は、１セルに対して１ユーザデータを収容する点とスタートフィールドが無い点である。尚、ＡＡＡＬ２のセルフォーマットはＩＴＵ−Ｔ勧告Ｉ３６３．２に記述されている。上記したＡＡＬ２ｐｆのセルフォーマットの具体的な構成を図３に示す。又、図４にＡＡＬ２からのデコンポジット処理の流れを示す。
【００１３】
ＡＡＬ１はＩＴＵ−Ｔ勧告（Ｉ３６３．１）に従うＡＴＭセルのデータであり、ＡＡＬ２はＩＴＵ−Ｔ勧告（Ｉ３６３．２）に従うＡＴＭセルのデータである。ＴＦＯ（Ｔａｎｄｅｍ  Ｆｒｅｅ  Ｏｐｅｒａｔｉｏｎ）は移動機−移動機通信時の二重符号化処理による音声品質劣化を避けることを目的とする手法である。送信元ボコーダ（Ｖｏｃｏｄｅｒ）において、エンコードされた符号化データをＳＴＭ網での中継伝送を意識したデータフォーマットに変換して、送信先ボコーダに伝送することで音声品質を保つものである。
【００１４】
本発明の特徴は、第１に移動体通信網において、マルチメディア信号処理装置に搭載されているボコーダの機能を、移動体交換局に応用することにより音声を傍受することが可能となることである。ここで挙げている機能とは、ＡＴＭセルをＡＴＭセルデータＡＡＬ２ｐｆとＡＡＬ２とＡＡＬ１（ＰＣＭ）の変換、またＴＦＯ時におけるＡＴＭセルデータＡＡＬ２ｐｆとＡＡＬ１（ＴＦＯ）の変換を行うものである。
【００１５】
他の特徴としては、ＡＴＭ網のＡＴＭセルデータＡＡＬ２をＡＴＭスイッチから取り出して傍受すること、特に、ＴＦＯ（Ｔａｎｄｅｍ  Ｆｒｅｅ  Ｏｐｅｒａｔｉｏｎ）という音声ＣＯＤＥＣの手法を用いる場合に、上記した機能を音声モニタ装置に応用して、移動機−移動機間での通話中の音声を傍受することを可能にしていることである。
【００１６】
さらに他の特徴としては、ＡＴＭセルデータＡＡＬ１（ＴＦＯ）からＡＡＬ２ｐｆへの変換、ＡＴＭセルデータＡＡＬ２ｐｆからＡＡＬ１（ＰＣＭ）への変換を施すための、交換機内の音声モニタ装置周辺パス接続（実線部以外の破線／一点破線で示したところを指すものとする）を交換機の初期設定時に、ＡＴＭ−ＳＷ内のＰｏｉｎｔ−ｔｏ−Ｍｕｌｔｉｐｏｉｎｔパス（太線破線／一点破線）を除くすべてのパスを呼処理のソフトウエア制御を介在させること無く、初期設定段階で固定的に接続（ＰＶＣ接続）していることである。
【００１７】
さらに、他の特徴としては、ＳＴＭ網はＡＴＭ網と固定的なパスで接続されているので、本音声傍受方式に関してソフトウエアからの制御としては、ＡＴＭ−ＳＷ、ＳＴＭ−ＳＷを個別に制御しなくともＡＴＭ−ＳＷを制御するのみで、音声傍受が可能となること。言い換えれば、ＳＴＭ−ＳＷはＡＴＭ−ＳＷに見かけ上くくり付けの状態となっていることになっているのである。
【００１８】
以下、本発明の実施の形態について図面を参照して詳細に説明する。まず、通話形態には移動機−固定機通信（Ｍ−Ｌ（Ｍｏｂｉｌｅ−ｔｏ−Ｌａｎｄ）通信）時、移動機−移動機通信（Ｍ−Ｍ（Ｍｏｂｉｌｅ−ｔｏ−Ｍｏｂｉｌｅ）通信）時とあるが、ここでは、前記移動機−移動機通信時の音声傍受方式ついて述べている。また、移動機−移動機通信時には、音声データのＣＯＤＥＣ（符号化処理）の手法がＴＦＯ（Ｔａｎｄｅｍ  Ｆｒｅｅ  Ｏｐｅｒａｔｉｏｎ）、非ＴＦＯの２通りが存在し、それぞれについて述べている。また、傍受方法には３通りある。例えば、ここでＡとＢが移動機−移動機通信で通話しているときを想定する。Ａだけの音声をモニタする場合、Ｂだけの音声を傍受する場合、Ａ，Ｂの通話を傍受（Ａ，Ｂ両者の音声を傍受）する場合である。これから述べる音声傍受方式はそれら３通りの傍受を実現するものである。
【００１９】
以下、図１及び図２を参照して本音声傍受方式のシステム的な構成について説明する。本方式は以下の（１）〜（１１）で構成されている。
【００２０】
（１）基地局制御装置１、移動体交換局２、音声信号処理装置３−１，３−２
（２）ＡとＢが通話するときに張られるパス（図１及び図２中の▲１▼のパス：実線）
（３）その通話を傍受するためにそれぞれの音声データを音声モニタ装置２−５に引き込む為のＰｏｉｎｔ−ｔｏ−Ｍｕｌｔｉｐｏｉｎｔパス（図１及び図２中の▲２▼のパス）
（４）ＴＦＯ時にＡＡＬ１（ＴＦＯ）からＡＡＬ２ｐｆに変換し、一度ＡＡＬ２セル多重／分離装置２−４へ送出し、再び音声モニタ装置２−５に送出しＡＡＬ２ｐｆからＡＡＬ１（ＰＣＭ）へと変換させるための折り返しパス。（図１及び図２中の▲３▼のパス）
（５）音声モニタ装置２−５〜ＳＴＭ網中の三者通話装置７間のパス（図１及び図２中の▲４▼）
（６）Ａ，Ｂの音声データが三者通話装置７にて合成され、実際に音声傍受するまでのパス（図１及び図２中の▲５▼）
（７）移動体交換局２に搭載されている、ＡＡＬ２セル組み立て／分解装置２−１，２−３
（８）音声信号処理装置３−１，３−２に搭載されているボコーダ（Ｖｏｃｏｄｅｒ）９−１，９−２
（９）上記したボコーダ９−１，９−２と同じ機能を持つ、ＡＴＭセルのデータＡＡＬ１（ＰＣＭ）に変換する移動体交換局２に搭載された音声モニタ装置２−５
（１０）ＴＦＯ時に音声モニタ装置２−５から送出されたＡＡＬ２ｐｆのデータを折り返すための、ＡＴＭセル多重／分離装置２−４
（１１）音声モニタ装置でＡＡＬ１（ＰＣＭ）に変換され、最終的に後、最後に音として聞くための既存のＳＴＭ網側の装置（ＳＴＭスイッチ６，三者通話装置７等）
【００２１】
上記した音声モニタ装置２−５では、ＡＴＭ交換機内でデータＡＡＬ２の音声信号をデータＡＡＬ２ｐｆに変換してからＡＴＭスイッチ２−２に送出し、そこでＰｏｉｎｔ−ｔｏ−Ｍｕｌｔｉｐｏｉｎｔパスを張ることによって取り込んだ、音声データ（ＴＦＯ時はＡＡＬ１（ＴＦＯ）、非ＴＦＯ時はＡＡＬ２ｐｆ）を音声として再現できるＡＴＭセルのタイプＡＡＬ１（ＰＣＭ）へと変換する。ＡＡＬ１（ＰＣＭ）に変換された音声データをＳＴＭ網で音声として再現させる。
【００２２】
以下、図１及び図２を参照して本方式の動作について説明する。先にも述べたように、本方式は、Ａ，Ｂが移動機−移動機通信を行っていることを前提条件とする。また本発明では、上記で述べた音声傍受方式の中の、（ＡＡＬ１（ＴＦＯ）⇒ＡＡＬ２ｐｆ⇒ＡＡＬ１（ＰＣＭ）へ変換させるためのパス接続をはじめ、音声モニタ装置周辺の一連のパス接続を、ＡＴＭ交換機の初期設定段階でハード的に行う。
【００２３】
まず、Ａ（Ｂ）からの音声データは基地局制御装置１（４）からＡＡＬ２で送信され、移動体交換局内のＡＡＬ２セル組み立て／分解装置２−１（２−３）によってＡＡＬ２のデータをＡＡＬ２ｐｆのデータへと分解し変換する。ここから先は前述のＴＦＯ時と非ＴＦＯ時によって、音声傍受の方式が異なってくる。
【００２４】
以下、非ＴＦＯ時における傍受方式の動作（以下の処理動作（１）〜（７））について図２を参照して説明する。
【００２５】
（１）基地局制御装置１（４）から来たデータ（ＡＡＬ２）は、移動体交換局２内のＡＡＬ２セル組み立て／分解装置２−１（２−３）までＡＡＬ２で送信されてくる。ここでＡＡＬ２からＡＡＬ２ｐｆに変換される。
（２）マルチメディア信号処理装置を通過しない。つまり、ＣＯＤＥＣ  Ｂｙｐａｓｓである。
（３）変換されたデータは、ＡＴＭスイッチ２−２にてＰｏｉｎｔ−ｔｏ−Ｍｕｌｔｉｐｏｉｎｔパスを張ることにより、データを２方向に分ける。一方は通常の移動機−移動機通信を保持するためのものであり、もう一方は音声モニタ装置２−５へと引き込むためのものである（図中▲２▼太線破線、太線一点破線）。
（４）音声モニタ装置２−５へと引き込まれたＡＡＬ２ｐｆのデータは、ＡＡＬ１（ＰＣＭ）に変換される。
（５）音声モニタ装置２−５を通過しＡＡＬ１（ＰＣＭ）に変換された音声データは、ＳＴＭスイッチ６（ＡＴＭ／ＳＴＭ変換装置）を経由することによりＳＴＭ網へと送出される。
（６）ＳＴＭ網にて三者通話装置７でＡ，Ｂそれぞれの音声データをミキシングすることにより、Ａ，Ｂの音声データを会話のデータとして見ることができる。
（７）ミキシングされた音声データは音声傍受用の受話装置８で傍受することが可能となる。
【００２６】
以上の構成で、非ＴＦＯ時の音声傍受が実現できる。これは同一事業所内の移動機−移動機通信に対して適用される。
【００２７】
次に、ＴＦＯ時の傍受方式の動作（以下の処理動作（１）〜（８））について図１を参照して説明する。
【００２８】
（１）基地局制御装置１（４）からきたＡＡＬ２の音声データは移動体交換局２内のＡＡＬ２セル組み立て／分解装置２−１（２−３）でＡＡＬ２ｐｆに変換される。
（２）ＡＡＬ２ｐｆに変換されたデータは、一度音声信号処理装置３−１（３−２）内のボコーダ９−１（９−２）を通る。しかし、ここで非ＴＦＯの時と比べて大きく異なる点がある。それは、ＴＦＯ時により通常のＡＡＬ１（ＰＣＭ）には変換されずに、ＡＡＬ１（ＴＦＯ）の形に変換されることである。しかも、ＡＡＬ１（ＴＦＯ）のデータの形のままで、ＳＴＭ網へと送出しても音声に再現することはできない。
（３）上記した（２）の事情に鑑みると、ＡＡＬ１（ＴＦＯ）のデータは再びそこから音声に再現可能なＡＡＬ１（ＰＣＭ）に変換する必要がある。そこで移動体交換局２では、上記（３）と同様に、ＡＴＭスイッチ２−２にてＰｏｉｎｔ−ｔｏ−Ｍｕｌｔｉｐｏｉｎｔパスを張り、ＡＡＬ１（ＴＦＯ）のデータを音声モニタ装置に引き込んでくる（図１中▲２▼の太線破線、太線一点破線）。
（４）引き込んできたＡＡＬ１（ＴＦＯ）のデータを音声モニタ装置２−５にて、ＡＡＬ２ｐｆの形に変換する。
（５）ＡＡＬ２ｐｆに変換したデータを一度ＡＴＭセル多重／分離装置２−４へと送出する。
（６）ＡＴＭセル多重／分離装置２−４内のスイッチにてパスを折り返し、再び音声モニタ装置２−５へとデータを引き込む。
（７）再び音声モニタ装置２−５に引き込まれたＡＡＬ２ｐｆのデータをＡＡＬ１（ＰＣＭ）に変換する。
（８）これにより、上記（５）〜（７）と同様の動作をもってＳＴＭ網にて、専用の受話装置８で傍受することが可能となる。
【００２９】
以上の構成でＴＦＯ時の音声傍受が実現できる。これは他事業者との移動機−移動機通信に対して適用される。以上がＴＦＯ／非ＴＦＯ時それぞれの音声傍受方式である。また、上記非ＴＦＯ時の傍受方式中の（４），ＴＦＯ時の傍受方式中の（４）〜（７）が音声傍受方式中で、音声モニタ装置特有のＣＯＤＥＣである。
【００３０】
【発明の効果】
本発明によれば、ＡＡＬ１（ＴＦＯ）からＡＡＬ１（ＰＣＭ）への変換を行う、音声モニタ装置特有のＣＯＤＥＣの開発が不要になる。
【００３１】
又、本発明によれば、交換機の初期設定段階において、ＳＴＭ網はＡＴＭ網と固定的なパスで接続されるので、本音声傍受方式に関してソフトウエアからの制御としては、ＡＴＭ−ＳＷ、ＳＴＭ−ＳＷを個別に制御しなくともＡＴＭ−ＳＷを制御するのみで、音声傍受が可能となる。
【図面の簡単な説明】
【図１】本音声傍受方式のＴＦＯ時におけるパス接続構成を示す図である。
【図２】本音声傍受方式の非ＴＦＯ時におけるパス接続構成を示す図である。
【図３】ＡＡＬ２ｐｆのセルフォーマットの構成を示した図である。
【図４】ＡＡＬ２からのデコンポジット処理の流れを示す図である。
【符号の説明】
１，４    基地局制御装置
２    移動体交換局
２−１，２−３    ＡＡＬ２セル組み立て／分解装置
２−２    ＡＴＭスイッチ
２−４    ＡＴＭセル多重／分離装置
２−５    音声モニタ装置
３−１，３−２    音声信号処理装置
６    ＳＴＭスイッチ
７  三者通話装置
８    受話装置
９−１，９−２    ボコーダ（Ｖｏｃｏｄｅｒ）
【図１】
0003570499.tif 000002
【図２】
0003570499.tif 000003
【図３】
0003570499.tif 000004
【図４】
0003570499.tif 000005